(57)【要約】【課題】  手差し給紙装置使用時に縦搬送ドアを開けても手差しトレイ上の用紙が落下しない構造を有する手差し給紙装置及び画像形成装置を提供する。【解決手段】  縦搬送経路２を開閉するために画像形成装置本体１の側面に開閉自在に設けられた縦搬送ドア５に、手差しトレイ７が開閉自在に設けられた手差し給紙装置において、手差しトレイ７の自由端に落下防止爪１０が設けられている。【選択図】        図１
2006341987.tif 000002
【特許請求の範囲】
【請求項１】
縦搬送経路を開閉するために画像形成装置本体側面に開閉自在に設けられた縦搬送ドアと、該縦搬送ドアによって開閉自在に軸支された手差しトレイと、を備えた手差し給紙装置において、前記手差しトレイの自由端に落下防止爪が設けられていることを特徴とする手差し給紙装置。
【請求項２】
上記落下防止爪は、手差しトレイ内外に出没自在に設けられ、手差しトレイの用紙載置面側に突出するように弾性付勢されていることを特徴とする請求項１記載の手差し給紙装置。
【請求項３】
上記落下防止爪は、用紙端部の重量による加圧力、及び手差しトレイ閉時の縦搬送ドアの構造物との突き当てにより、手差しトレイ内に収容されることを特徴とする請求項２記載の手差し給紙装置。
【請求項４】
請求項１乃至３のいずれか一項記載の手差し給紙装置を備えた画像形成装置。
【発明の詳細な説明】
【技術分野】
【０００１】
本発明は、画像形成装置本体の側面に突出する手差しトレイを備えた手差し給紙装置、及びその手差し給紙装置を搭載した画像形成装置に関する。
【背景技術】
【０００２】
図６乃至図８に基づいて従来例を説明する。
図６は従来例に係る画像形成装置において、手差し給紙装置使用時の状態を示す正面図、図７は未使用時の状態を示す正面図、図８は従来例に係る画像形成装置において、手差し給紙装置使用時でかつ縦搬送ドアを開放した状態を示す正面図である。
画像形成装置本体（以下、本体）１の内部には、下部の給紙部Ａから画像形成部Ｂを経て排紙部Ｃへ用紙を上方に搬送する縦搬送経路２が設けてあり、本体１側の搬送コロ３と当接する搬送コロ４を有する縦搬送ドア５が本体１の側面に設けてある。縦搬送ドア５の下端は回動支点６によって本体１に軸支されており、縦搬送ドア５は図６に示すように縦搬送経路２を閉じた状態と図８に示すように縦搬送経路２を開いた状態とに回動変位するようになっている。
また、手差しトレイ７の一端が回動支点８により縦搬送ドア５に対して開閉自在に軸支されている。用紙Ｐを積載する手差しトレイ７と用紙Ｐを縦搬送経路２に給紙する給紙コロ９で手差し給紙装置を構成する。手差し給紙装置を使用しないときは、図７に示すように手差しトレイ７を閉じて縦搬送ドア５内に収容する。
【発明の開示】
【発明が解決しようとする課題】
【０００３】
上記従来の画像形成装置においては、図８に示すように、手差しトレイ７に用紙Ｐを積載した状態で、縦搬送経路２におけるジャム処理、その他のために縦搬送ドア５を開くと、手差しトレイ７の上面が斜め下向きに傾斜し、その自由端（軸支部と反対側端部）が下方になるように、手差しトレイ７が傾斜してしまい、その結果、用紙Ｐが手差しトレイ７から落下してしまうという不具合があった。
本発明は、上述した実情を考慮してなされたもので、手差し給紙装置使用時に縦搬送ドアを開けても手差しトレイ上の用紙が落下しない構造を有する手差し給紙装置及び画像形成装置を提供することを目的とする。
【課題を解決するための手段】
【０００４】
上記目的を達成するために、請求項１記載の発明は、縦搬送経路を開閉するために画像形成装置本体側面に開閉自在に設けられた縦搬送ドアと、該縦搬送ドアによって開閉自在に軸支された手差しトレイと、を備えた手差し給紙装置において、前記手差しトレイの自由端に落下防止爪が設けられていることを特徴とする。
請求項２の発明は、請求項１において上記落下防止爪は、手差しトレイ内外に出没自在に設けられ、手差しトレイの用紙載置面側に突出するように弾性付勢されていることを特徴とする。
請求項３の発明は、請求項２において、上記落下防止爪は、用紙端部の重量による加圧力、及び手差しトレイ閉時の縦搬送ドアの構造物との突き当てにより、手差しトレイ内に収容されることを特徴とする。
請求項４記載の発明は、請求項１乃至３のいずれか一項記載の手差し給紙装置を備えた画像形成装置を最も主要な特徴とする。
【発明の効果】
【０００５】
本発明は、縦搬送経路を開閉するために画像形成装置本体側面に開閉自在に設けられた縦搬送ドアに、手差しトレイが開閉自在に設けられた手差し給紙装置において、手差しトレイの自由端に落下防止爪が設けられていることで、手差し給紙装置使用時に縦搬送ドアを開けても手差しトレイ上の用紙の落下を防止することができる。
【発明を実施するための最良の形態】
【０００６】
以下、図面を参照して、本発明の実施形態を詳細に説明する。なお図６以降に示した従来例と同一個所には同一符号を付して重複する説明は省略する。
図１は本発明の実施形態に係る画像形成装置において、手差し給紙装置使用時の状態を示す正面図、図２は本発明の実施形態に係る画像形成装置において、手差し給紙装置使用時でかつ縦搬送ドアを開放した状態を示す正面図である。
本実施形態の画像形成装置においては、手差しトレイ７の自由端（軸支部と反対側端部）に落下防止爪１０を用紙載置面側へ突出させている。そのため、用紙Ｐの端部（給紙方向上流側端部）が落下防止爪１０に規制され、図２に示すように、手差しトレイ７の自由端が下方になるように手差しトレイ７が傾斜しても、用紙Ｐが手差しトレイ７から滑り落ちることはない。
図３は落下防止爪の変位を示す図である。落下防止爪１０は手差しトレイ７に設けた回動支点１１により矢印方向へ回動するように軸支され、且つ図示しないねじりばねにより、図３（１）に示した外方に突出するよう付勢されている。しかしストッパ部１０−１が手差しトレイ７の図示しない側壁折り曲げ部に当接することで、（１）に示すように、垂直に突出した位置に規制される。また落下防止爪１０をねじりばねの付勢力に抗して反時計周り方向に回転させようという力が働くと、落下防止爪１０は（２）に示すように、手差しトレイ７内に収容される。
図４は大サイズの用紙の端部が落下防止爪１０の端部にかかった状態を示す図である。大サイズの用紙Ｐの端部が落下防止爪１０の端部にかかった場合、その重量により、ねじりばねの付勢力に抗して落下防止爪１０は、反時計周り方向に回転し、手差しトレイ７内に収容される。手差しトレイ７の用紙当接面は用紙と摺接し回動しやすくなる向きにテーパーが形成されている。また、用紙Ｐの端部の重量はねじりばねの付勢力より大きく設定する必要がある。
図５は本発明の実施形態に係る画像形成装置において、手差し給紙装置未使用時の状態を示す正面図である。手差し給紙装置の未使用時に手差しトレイ７を縦搬送ドア５に収容する場合は、落下防止爪１０は、縦搬送ドア５の構造物（図示せず）と突き当たって回動し、手差しトレイ７内に収容される。
本発明の手差し給紙トレイは、複写機、プリンタ、ファクシミリ装置等の画像形成装置に適用することができる。
【図面の簡単な説明】
【０００７】
【図１】本発明の実施形態に係る画像形成装置において、手差し給紙装置使用時の状態を示す正面図。
【図２】本発明の実施形態に係る画像形成装置において、手差し給紙装置使用時でかつ縦搬送ドアを開放した状態を示す正面図。
【図３】落下防止爪の変位を示す図。
【図４】大サイズの用紙の端部が落下防止爪１０の端部にかかった状態を示す図。
【図５】本発明の実施形態に係る画像形成装置において、手差し給紙装置未使用時の状態を示す正面図。
【図６】従来例に係る画像形成装置において、手差し給紙装置使用時の状態を示す正面図。
【図７】従来例に係る画像形成装置において、未使用時の状態を示す正面図。
【図８】従来例に係る画像形成装置において、手差し給紙装置使用時でかつ縦搬送ドアを開放した状態を示す正面図。
【符号の説明】
【０００８】
１  画像形成装置本体、２  縦搬送経路、５  縦搬送ドア、７  手差しトレイ、１０  落下防止爪
【図１】
2006341987.tif 000003
【図２】
2006341987.tif 000004
【図３】
2006341987.tif 000005
【図４】
2006341987.tif 000006
【図５】
2006341987.tif 000007
【図６】
2006341987.tif 000008
【図７】
2006341987.tif 000009
【図８】
2006341987.tif 000010